(57)【要約】【課題】携帯電話機を机等の上に置いておいた時に着信があっても大きな音が生じたり落下しないようにする。【解決手段】携帯電話機の第１ケース部２に底面接触感知スイッチ１０と水平感知センサ１１とを設ける。携帯電話機を机等の略水平面に置くと、底面接触感知スイッチ１０が自重でオンすると共に、水平感知センサ１１により略水平に置かれていることが検出される。これにより、バイブレータで着信を知らせるモードとされている場合であっても、バイブレータの作動を停止させて大きな音が生じたり落下しないようにする。【選択図】  図３
2004274438.tif 000002
【特許請求の範囲】
【請求項１】
ケースの裏面に設けられて、該ケースの裏面が被載置物に接触するように置かれた際にオンとされる底面接触感知スイッチと、
前記ケース内に設けられて、前記ケースが略水平方向に置かれていることを検出可能とされている水平感知センサと、
着信したことを通知するバイブレータとを少なくとも備え、
前記底面接触感知スイッチがオンしていると共に、前記水平感知センサが前記ケースが略水平方向に置かれていることを検出した際には、着信があっても前記バイブレータが作動しないようにしたことを特徴とする携帯電話機。
【請求項２】
前記ケースが、第１ケース部と第２ケース部とを折り畳み可能に構成したケースとされ、前記第１ケース部と前記第２ケース部との裏面にそれぞれ前記底面接触感知スイッチが設けられていることを特徴とする請求項１記載の携帯電話機。
【発明の詳細な説明】
【０００１】
【発明の属する技術分野】
本発明は、着信があったことをバイブレータでも通知することができる携帯電話機に関する。
【０００２】
【従来の技術】
従来の携帯電話機においては、通話の着信やメールの着信があった際に着信音や着信メロディにより着信があったことをユーザに通知している。また、着信音や着信メロディを放音することによる着信通知をしたくない場合には、マナーモードに設定することができるようにされている。マナーモードに設定された際には、通話の着信やメールの着信を内蔵されているバイブレータを振動させることによりユーザに通知するよう設定することができる。
【０００３】
【発明が解決しようとする課題】
通話の着信やメールの着信を内蔵されているバイブレータを振動させることによりユーザに通知するよう設定した際に、携帯電話機を机等の上に置いておくと通話の着信やメールの着信があってバイブレータが振動した時に、マナーモードに設定してあるにもかかわらず机等が共振して大きな音が生じたり、バイブレータの振動により携帯電話機が移動することにより、机等の上から落下して故障の原因になるという問題点があった。
【０００４】
そこで、本発明は、携帯電話機を机等の上に置いておいた時に着信があっても大きな音が生じたり落下しない携帯電話機を提供することを目的としている。
【０００５】
【課題を解決するための手段】
上記目的を達成するために、本発明の携帯電話機は、ケースの裏面に設けられて、該ケースの裏面が被載置物に接触するように置かれた際にオンとされる底面接触感知スイッチと、前記ケースが略水平方向に置かれていることが検出可能とされ、前記ケース内に設けられている水平感知センサと、着信したことを通知するバイブレータとを少なくとも備え、前記底面接触感知スイッチがオンしていると共に、前記水平感知センサが前記ケースが略水平方向に置かれていることを検出した際には、着信があっても前記バイブレータの作動しないようにしている。
また、上記本発明の携帯電話機において、前記ケースが、第１ケース部と第２ケース部とを折り畳み可能に構成したケースとされ、前記第１ケース部と前記第２ケース部との裏面にそれぞれ前記底面接触感知スイッチが設けられていてもよい。
【０００６】
このような本発明によれば、机等の上に携帯電話機が置かれていることを、底面接触感知スイッチがオンしていると共に、水平感知センサがケースが略水平方向に置かれていることを検出することにより判断し、略水平の机等の上に携帯電話機が置かれている場合には、着信があってもバイブレータが作動しないようにしている。これにより、バイブレータにより着信を通知する場合に、着信があっても大きな音が生じたり落下しないようにすることができるようになる。
【０００７】
【発明の実施の形態】
本発明の実施の形態における携帯電話機のおもて側の構成を示す斜視図を図１に示し、本発明の実施の形態における携帯電話機の裏側の構成を示す斜視図を図２に示す。
これらの図に示すように、本発明の携帯電話機１は第１ケース部２と第２ケース部３とを備えている。そして、第１ケース部２と第２ケース部３とはヒンジ部４を介して回転可能に固着されていることにより、第１ケース部２と第２ケース部３とは折り畳み可能とされている。図１および図２に示す携帯電話機１は、第１ケース部２に対して第２ケース部３が開かれた状態とされており、第１ケース部２のおもて面にはダイヤルボタンやメニューの選択ボタン等の複数のスイッチボタン２ａと、マイクが内蔵されている送話口２ｂが設けられている。また、第２ケース部３のおもて面には液晶表示器等からなる各種情報やテキストが表示可能とされている表示部３ａと、スピーカが内蔵されている受話口３ｂが設けられている。
【０００８】
さらに、第１ケース部２の裏面には携帯電話機１が机等に置かれた際に、第１ケース部２の裏面が机等に当接したことを検知する底面接触感知スイッチ１０が設けられている。さらにまた、第１ケース部２には携帯電話機１が略水平に置かれれていることを検知する水平感知センサ１１が内蔵されている。
なお、携帯電話機１においては通話の着信やメールの着信があった際に、着信音や着信メロディが放音される。そして、携帯電話機１がマナーモードに設定されている場合は、着信音や着信メロディに代わり第１ケース部２あるいは第２ケース部３に内蔵されている図示しないバイブレータを振動させて着信を知らせるようにしている。
【０００９】
次に、底面接触感知スイッチ１０と水平感知センサ１１とが設けられている第１ケース部２の構成の一部を断面図で図３に示す。
図３に示すように、底面接触感知スイッチ１０は携帯電話機回路が組み込まれている第１ケース部２に内蔵されている回路基板１２上に設けられており、スイッチ本体１０ｂと可動子１０ａから構成されている。可動子１０ａが矢印で示すように押された際にスイッチ本体１０ｂ内の接点が閉じて底面接触感知スイッチ１０はオンとなる。また、水平感知センサ１１は傾斜センサや角度センサからなり第１ケース部２が略水平に置かれた際に水平に置かれたことを示す信号を出力する。
【００１０】
ここで、第１ケース部２の裏面が接触するように携帯電話機１が机等の略水平面に置かれると、底面接触感知スイッチ１０の可動子１０ａが自重により図３に示す矢印のように内側に押し込められて底面接触感知スイッチ１０がオンするようになる。同時に、携帯電話機１が略水平に置かれることになるから、水平に置かれていることを水平感知センサ１１が検出して、その旨を示す信号を出力する。これにより、回路基板１２上に組み込まれているバイブレータ駆動回路によるバイブレータの駆動が停止される。この場合には、マナーモードに設定されていて通話の着信やメールの着信があっても、第１ケース部２あるいは第２ケース部３に内蔵されている図示しないバイブレータは作動しないようになる。これにより、バイブレータの振動が机等に共振して大きな音が生じたり、バイブレータの振動により携帯電話機１が移動することにより机等の上から落下して携帯電話機１が故障することを防止することができるようになる。
【００１１】
以上の説明では、携帯電話機１を折り畳みできる構成の携帯電話機としたが、本発明はこれに限ることはなく折り畳みできない一体型のケースを有する携帯電話機に底面接触感知スイッチ１０と水平感知センサ１１とを設けるようにしてもよい。
また、図２および図３に示す例では底面接触感知スイッチ１０および水平感知センサ１１を第１ケース部２に設けるようにしたが、本発明はこれに限るものではなく第２ケース部３に設けるようにしてもよい。また、底面接触感知スイッチ１０を第１ケース部２および第２ケース部３の裏面にそれぞれ設けるようにしてもよい。さらに、底面接触感知スイッチ１０と水平感知センサ１１との内のいずれかを、第１ケース部２と第２ケース部３とにそれぞれ１つづつ設けるようにしてもよい。
なお、第１ケース部２には内部アンテナが内蔵されているが、リトラクタブルなホイップアンテナを第１ケース部２あるいは第２ケース部３に設けるようにしてもよい。
【００１２】
【発明の効果】
以上説明したように、本発明の携帯電話機は、机等の上に携帯電話機が置かれていることを、底面接触感知スイッチがオンしていると共に、水平感知センサがケースが略水平方向に置かれていることを検出することにより判断し、略水平の机等の上に携帯電話機が置かれている場合には、着信があってもバイブレータが作動しないようにしている。これにより、バイブレータにより着信を通知する場合に、着信があっても大きな音が生じたり落下しないようにすることができるようになる。
【図面の簡単な説明】
【図１】本発明の実施の形態における携帯電話機のおもて側の構成を示す斜視図である。
【図２】本発明の実施の形態における携帯電話機の裏側の構成を示す斜視図である。
【図３】本発明の実施の形態における携帯電話機の第１ケース部の構成を示す断面図である。
【符号の説明】
１  携帯電話機、２  第１ケース部、２ａ  スイッチボタン、２ｂ  送話口、３第２ケース部、３ａ  表示部、３ｂ  受話口、４  ヒンジ部、１０  底面接触感知スイッチ、１０ａ  可動子、１０ｂ  スイッチ本体、１１  水平感知センサ、１２  回路基板
【図１】
2004274438.tif 000003
【図２】
2004274438.tif 000004
【図３】
2004274438.tif 000005